(57)【要約】      （修正有）【課題】配布を受ける者の興味を強く喚起するために、１枚の紙からサンバイザとうちわを切り出すことができるようにした紙シートを提供する。【解決手段】外側をサンバイザ展開領域１とすると共に、サンバイザ展開領域１の内側をうちわ展開領域２とすることでサンバイザ展開領域１とうちわ展開領域２とを組み合わせ、サンバイザ展開領域１とうちわ展開領域２との間にミシン目３を設けて切り離し可能とし、表裏両面が印刷面４となっている。【選択図】図２
0003171584.tif 000002
【実用新案登録請求の範囲】
【請求項１】
外側をサンバイザ展開領域とすると共に、前記サンバイザ展開領域の内側をうちわ展開領域とすることで前記サンバイザ展開領域と前記うちわ展開領域とを組み合わせ、前記サンバイザ展開領域と前記うちわ展開領域との間にミシン目を設けて切り離し可能とし、表裏両面が印刷面であることを特徴とする配布用の紙シート。
【請求項２】
前記サンバイザ展開領域の外側に分離領域を設けて全体形状を配布態様に応じて要求される形状にすると共に、前記サンバイザ展開領域と前記分離領域の間にミシン目を設けて切り離し可能にしたことを特徴とする請求項１記載の配布用の紙シート。
【請求項３】
前記うちわ展開領域に使用者が指を通す握り用の孔が設けられていることを特徴とする請求項１又は２記載の配布用の紙シート。
【考案の詳細な説明】
【技術分野】
【０００１】
本考案は、配布用の紙シートに関する。さらに詳しくは、切り離して組み立て式のサンバイザとうちわとして使用できる配布用の紙シートに関するものである。
【背景技術】
【０００２】
夏場のイベント会場等では、ノベルティとして紙製のサンバイザが配布されることがある。配布される紙製サンバイザには宣伝広告等が印刷されており、配布を受けた者への宣伝効果が期待される。なお、宣伝広告が付された紙製のサンバイザとしては、例えば特許文献１に記載されたものがある。
【先行技術文献】
【特許文献】
【０００３】
【特許文献１】特開２００１−４９５１５号公報
【考案の概要】
【考案が解決しようとする課題】
【０００４】
しかしながら、イベント会場等でのサンバイザの配布は、宣伝広告の手段として目新しいものではなく、来場者等の興味を強く引くとは言い難い。
【０００５】
本考案は、配布を受ける者の興味を強く喚起する配布用の紙シートを提供することを目的とする。
【課題を解決するための手段】
【０００６】
かかる目的を達成するために、請求項１記載の配布用の紙シートは、外側をサンバイザ展開領域とすると共に、サンバイザ展開領域の内側をうちわ展開領域とすることでサンバイザ展開領域とうちわ展開領域とを組み合わせ、サンバイザ展開領域とうちわ展開領域との間にミシン目を設けて切り離し可能とし、表裏両面が印刷面とされている。
【０００７】
したがって、１枚の平面状の紙シートとしてサンバイザとうちわのセットが配布される。紙シートの表裏両面は印刷面となっており、着色や模様、案内や宣伝広告等の情報等が印刷された状態で配布される。紙シートを配布された者は、サンバイザ展開領域とうちわ展開領域とをミシン目に沿って切り離し、平面状のサンバイザ展開領域から立体的なサンバイザを組み立てると共に、平面状のうちわ展開領域からうちわを組み立てる。切り離し部分にはミシン目が設けられているので、サンバイザ展開領域とうちわ展開領域とを簡単に切り離すことができる。シート全体の形状は、外側のサンバイザ展開領域をサンバイザに組み立てることを考慮すると、一般的には台形（ほぼ台形を含む。以下、形状については当該形状そのものの他に、ほぼ当該形状である場合も含む。）になると考えられるが、必ずしも台形に限るものではなく、楕円形等でも良く、あるいは長方形、正方形等でも良い。
【０００８】
また、請求項２記載の配布用の紙シートは、サンバイザ展開領域の外側に分離領域を設けて全体形状を配布態様に応じて要求される形状にすると共に、サンバイザ展開領域と分離領域の間にミシン目を設けて切り離し可能にしたものである。したがって、分離領域の形状・大きさを変えることでシート全体の形状を配布態様に適した形状・大きさにすることができる。例えば、新聞の折り込みチラシと一緒に配布する場合には矩形状にすることが好ましく、この場合には新聞の折り込みチラシと同じ大きさ、同じ形状にすることができ、取り扱いが容易になる。なお、シート全体の形状としては、正方形、長方形、台形、ひし形等の四角形でも良いし、円形、楕円形、三角形、五角形、多角形、その他の形状でも良い。
【０００９】
さらに、請求項３記載の配布用の紙シートは、うちわ展開領域に使用者が指を通す握り用の孔を設けたものである。したがって、紙シートを切り離す前の状態では、孔に指を通して持ち運ぶことができ、紙シートを切り離してうちわを組み立てた状態では、孔に指を通してうちわを握って使用することができる。
【考案の効果】
【００１０】
請求項１記載の配布用の紙シートでは、サンバイザとうちわのセットを配布でき、これらはともに夏場などの暑い時期に使用するものであり、同時期に使用する物品を組み合わせて配布することができる。そのため、配布された者にとって大変便利であり、配布物として受け取ってもらいやすい。また、サンバイザとうちわをセットにして配布できる紙シートは従来存在しなかったため、目新しくて注目を集めやすい。この点からも配布物として受け取ってもらいやすい。さらに、この紙シートを矩形以外の形状にした場合には、配布を受ける者の興味を引きやすく、この点からも配布物として受け取ってもらいやすい。このように、本考案の紙シートは注目を集めやすく配布物として受け取ってもらいやすいため、広告媒体，ノベルティ等としての使用に非常に適している。
【００１１】
また、サンバイザ展開領域の内側をうちわ展開領域にしており、各領域の形状の特徴（サンバイザ展開領域は内側を空けるような形状、うちわ展開領域はサンバイザ展開領域の内側を埋めるような形状であって且つ風を起こすのに不都合のない形状であればその形状は特に問題にならない）を考慮して２つの領域を合理的に組み合わせた無駄のないレイアウトとなっている。
【００１２】
また、紙製のシートであるので、表裏両面を印刷面とすることができ、広告・情報等の印刷面として広い面積を確保することができる。また、紙シートは広告媒体・ノベルティ等として配布しやすい形態である。
【００１３】
また、サンバイザ展開領域とうちわ展開領域とから構成されているので、余分な切り捨て部分が発生せず、ゴミの発生を防止できる。さらに、紙製であるので、使用後のサンバイザとうちわの廃棄が容易である。これらのため、環境面でも優れている。
【００１４】
さらに、サンバイザ展開領域とうちわ展開領域との間にミシン目が設けられているので、両者を簡単に切り離すことができ、サンバイザとうちわの組み立てが容易で使いやすく便利である。
【００１５】
また、請求項２記載の配布用の紙シートでは、全体を所望の形状・大きさにすることができるので、作成時や配布時の取り扱いを容易にすることができる。
【００１６】
さらに、請求項３記載の配布用の紙シートでは、うちわ展開領域に使用者が指を通す握り用の孔を設けているので、紙シートを切り離す前の状態では、孔に指を通して持ち運ぶことができ、紙シートを切り離してうちわを組み立てた状態では、孔に指を通してうちわを握って使用することができる。そのため、使い勝手に優れ、大変便利である。
【図面の簡単な説明】
【００１７】
【図１】本考案の配布用の紙シートの実施形態の一例を示し、（Ａ）は切り離す前の状態を示す平面図、（Ｂ）は切り離したサンバイザ展開領域を示す平面図、（Ｃ）は組み立てたサンバイザを示す斜視図、（Ｄ）は切り離したうちわ展開領域を示す平面図、（Ｅ）は組み立てたうちわを示す斜視図である。
【図２】本考案の配布用の紙シートの他の実施形態を示す平面図である。
【考案を実施するための形態】
【００１８】
以下、本考案の構成を図面に示す形態に基づいて詳細に説明する。
【００１９】
図１に、本考案の配布用の紙シートの実施形態の一例を示す。配布用の紙シート（以下、単に紙シートという）は、外側をサンバイザ展開領域１とすると共に、サンバイザ展開領域１の内側をうちわ展開領域２とすることでサンバイザ展開領域１とうちわ展開領域２とを組み合わせ、サンバイザ展開領域１とうちわ展開領域２との間にミシン目３を設けて切り離し可能とし、表裏両面（表面のみ図示）を印刷面４としたものである。
【００２０】
サンバイザ展開領域１は、サンバイザ５のひさし５ａとなる幅広部１ａと、幅広部１ａからほぼＶ字形状に延び、サンバイザ５のベルト５ｂとなる左右一対の帯状部１ｂ，１ｂより構成されている（図１（Ｂ））。各帯状部１ｂは幅広部１ａよりも幅が狭く形成されている。このような構成にすることで、本実施形態の紙シートは全体形状が台形となる。ただし、必ずしも紙シートの全体形状は台形に限られるものではなく、サンバイザ５にするのに無理のない形状であれば、特に制限されるものではない。
【００２１】
左右の帯状部１ｂ，１ｂの先端近傍位置には連結のための切り込み６，７が設けられている。一方の帯状部１ｂには１本の切り込み６（以下、一方の切り込み６という）が、他方の帯状部１ｂには所定間隔で複数の切り込み７（以下、他方の切り込み７という）が設けられている。各切り込み６，７は帯状部１ｂ，１ｂのほぼ幅方向に形成され、帯状部１ｂの幅の半分位置まで設けられている。本実施形態では一方の切り込み６を一方の帯状部１ｂの内側に、他方の切り込み７を他方の帯状部１ｂの外側にそれぞれ設けているが、一方の切り込み６を一方の帯状部１ｂの外側に、他方の切り込み７を他方の帯状部１ｂの内側にそれぞれ設けても良い。また、一方の帯状部１ｂに他方の切り込み７（複数設ける切り込み７）を設け、他方の帯状部１ｂに一方の切り込み６（１本の切り込み６）を設けるようにしても良い。
【００２２】
切り離した平面状のサンバイザ展開領域１から立体的なサンバイザ５を組み立てるには、他方の切り込み７のうちの１本を選択して一方の切り込み６を差し込めはよい（図１（Ｃ））。他方の切り込み７に一方の切り込み６を差し込むことで、左右の帯状部１ｂ，１ｂの先端近傍位置が交差して連結される。このとき、左右の帯状部１ｂ，１ｂが互いに内側に捻られて幅広部１ａの内側が持ち上がり、全体として立体的なサンバイザ５となる。一方の切り込み６を差し込む他方の切り込み７を別の位置のものに変えることで、サンバイザ５のサイズを調節することができる。即ち、使用者の頭の大きさに合わせてベルト５ｂ，５ｂの長さを調節することができる。
【００２３】
うちわ展開領域２は切り離すことでうちわ８となる領域であり、少なくともあおぐことで風を起こす本体部２ａを備えている。本実施形態では、図１（Ｄ）に示すように、本体部２ａの他に折り返し部２ｂを設け、掴みやすくすると共に掴む部分の剛性を大きくしている。折り返し部２ｂは本体部２ａの外側に設けられている。折り返し部２ｂと本体部２ａとの間には、使用時に折り返し部２ｂを折り返すことを示すと共に、その折り返しを容易にするための折り返し線９が設けられている。
【００２４】
うちわ展開領域２はあおいで風を起こすことができればその形状は特に制限されない。つまり、一般的なうちわ８のように円形、楕円形等である必要はない。そのため、うちわ展開領域２をサンバイザ展開領域１の内側の形状にすることができ、合理的な配置となる。
【００２５】
本実施形態ではうちわ展開領域２に握り用の孔１０が設けられている。本実施形態では、本体部２ａの外側に設けられた折り返し部２ｂに孔１０を設けている。孔１０を設けることで指を入れてうちわ８を掴むことが可能になり、あおぎやすくなる。ただし、孔１０を設けなくても良い。また、孔１０を外側の折り返し部２ｂに設けることで、切り離す前のシートの状態でも指を入れて持ち運びやすくなる。
【００２６】
なお、本実施形態では本体部２ａの外側に折り返し部２ｂを設けているが、内側に折り返し部２ｂを設けても良い。内側に折り返し部２ｂを設けた場合には、外側に位置する本体部２ａに孔１０を設けても良いし、内側に位置する折り返し部２ｂに孔１０を設けても良い。外側に位置する本体部２ａに孔１０を設けた場合には、切り離す前のシートの状態で指を入れて持ち運びやすくすることができる一方で、風を起こす面積が減少することになるが、孔１０の大きさは本体部２ａの大きくに比べて僅かであるので、風を起こす上では特に大きな問題にはならない。
【００２７】
切り離した平面状のうちわ展開領域２からうちわ８を組み立てるには、折り返し線９に沿って折り返し部２ｂを折り返せばよい（図１（Ｅ））。そして、孔１０に親指以外の４本の指を入れて当該４本の指と反対側からまわした親指とで本体部２ａを挟むようにして掴み、使用する。
【００２８】
本考案の紙シートは、表裏両面が印刷面４となっている。例えば、サンバイザ５やうちわ８の着色や模様、広告や案内等の情報等が印刷される。
【００２９】
本考案の紙シートは、サンバイザ展開領域１とうちわ展開領域２とを切り離す前の状態で１枚の平面状の紙シートとして配布される。例えば、お祭りや縁日、花火大会、スポーツ会場、コンサート会場、イベント会場等で案内情報や広告を印刷した紙シートを配布したり、街頭で広告を印刷した紙シートを配布することができる。あるいは、新聞の折り込みチラシとして配布することもできる。特に、サンバイザ５とうちわ８を使用する夏場の配布に適している。
【００３０】
紙シートを配布された者は、サンバイザ展開領域１とうちわ展開領域２とをミシン目３に沿って切り離し、平面状のサンバイザ展開領域１を立体的に組み立ててサンバイザ５にし、平面状のうちわ展開領域２を立体的に折り曲げてうちわ８にする。切り離し部分にはミシン目３が設けられているので、サンバイザ展開領域１とうちわ展開領域２を簡単に切り離すことができる。
【００３１】
本考案では、１枚の平面状の紙シートとしてサンバイザ５とうちわ８のセットが配布される。紙シートの表裏両面は印刷面４となっており、着色や模様、案内や宣伝広告等の情報等が印刷された状態で配布される。
【００３２】
サンバイザ５とうちわ８はともに夏場などの暑い時期に使用するものである。本考案では、サンバイザ５とうちわ８をセットにしているので、同時期に使用する物品を組み合わせて配布することができる。そのため、配布された者にとって大変便利であり、配布物として受け取ってもらいやすい。また、サンバイザ５とうちわ８をセットにして配布できる紙シートは従来存在しなかったため、目新しくて注目を集めやすい。この点からも配布物として受け取ってもらいやすい。さらに、この紙シートは台形を成しており、配布用の紙シートとして一般的な形状である長方形とは異なっているので、配布を受ける者の興味を引きやすく、この点からも配布物として受け取ってもらいやすい。このように、本考案の紙シートは注目を集めやすく配布物として受け取ってもらいやすいため、広告媒体，ノベルティ等としての使用に非常に適している。
【００３３】
また、サンバイザ展開領域１の内側をうちわ展開領域２にしており、各領域１，２の形状の特徴（サンバイザ展開領域１は幅広部１ａからほぼＶ字状に左右の帯状部１ｂ，１ｂを延出させる形状、うちわ展開領域２は風を起こすのに不都合がなければその形状は特に問題にならない）を考慮して２つの領域１，２を合理的に組み合わせた無駄のないレイアウトとなっている。
【００３４】
また、紙製のシートであるので、表裏両面を印刷面４とすることができ、広告・情報等の印刷面４として広い面積を確保することができる。また、紙シートは広告媒体・ノベルティ等として配布しやすい形態である。
【００３５】
また、サンバイザ展開領域１とうちわ展開領域２とから構成されているので、余分な切り捨て部分が発生せず、ゴミの発生を防止できる。さらに、紙製であるので、使用後の廃棄が容易である。これらのため、環境面でも優れている。
【００３６】
さらに、サンバイザ展開領域１とうちわ展開領域２との間にミシン目３が設けられているので、両者を簡単に切り離すことができ、サンバイザ５とうちわ８の組み立てが容易で使いやすく便利である。例えば、祭り会場、イベント会場等で紙シートを配布した場合、受け取った者はその場でサンバイザ５とうちわ８を組み立ててそのまま使用することができる。
【００３７】
さらに、本実施形態では、うちわ展開領域２に使用者が指を通す握り用の孔１０を設けているので、紙シートを切り離す前の状態では、孔１０に指を通して持ち運ぶことができ、紙シートを切り離してうちわ８を組み立てた状態では、孔１０に指を通してうちわ８を握って使用することができる。そのため、使い勝手に優れ、大変便利である。
【００３８】
なお、上述の形態は本発明の好適な形態の一例ではあるがこれに限定されるものではなく本考案の要旨を逸脱しない範囲において種々変形実施可能である。例えば、サンバイザ展開領域１の外側に分離領域１１を設けて全体形状を配布態様に応じて要求される形状にすると共に、サンバイザ展開領域１と分離領域１１の間にミシン目１２を設けて切り離し可能にしても良い。この場合には、全体を所望の形状・大きさにすることが容易であり、作成時や配布時の取り扱いを容易にすることができる。例えば、配布態様が新聞の折り込みチラシと一緒の配布の場合には、図２に示すように、全体を矩形にする。この場合には、例えば、新聞の折り込みチラシと同じ大きさ、同じ形状にすることができ、取り扱いが容易になる。
【符号の説明】
【００３９】
１  サンバイザ展開領域
２  うちわ展開領域
３  サンバイザ展開領域とうちわ展開領域との間のミシン目
４  印刷面
１０  握り用の孔
１１  分離領域
１２  サンバイザ展開領域１と分離領域１１との間のミシン目
0003171584.tif 000003
【手続補正書】
【提出日】平成23年9月12日(2011.9.12)
【手続補正１】
【補正対象書類名】図面
【補正対象項目名】全図
【補正方法】変更
【補正の内容】
【図１】
0003171584.tif 000004
【図２】
0003171584.tif 000005